(57)【要約】【課題】  本発明は目地プレート本体と、該目地プレート本体内に充填されたモルタルあるいはコンクリートとの剥離を効率よく阻止して、騒音の発生を阻止し、美観が損なわれるのを防止でき、かつ目地プレート本体を比較的に薄い金属材を用いても、上部に設けた鉢巻きプレートで十分な強度が得られる薄肉で安価な金属材を使用でき、低コストで製造することができる目地プレートを得るにある。【解決手段】  金属材で少なくとも２辺の下部が外方へ広がるように突出する突出部を有する四角浅皿形状の目地プレート本体と、この目地プレート本体の上部外周部に前記突出部の外側端部より外側端部が外方へ突出しないように固定された金属材製の鉢巻きプレートと、前記目地プレート本体の後部両側部に底面が開口するように設けられた支持ピン挿入筒と、前記目地プレート本体内に充填されたモルタルあるいはコンクリートとで目地プレートを構成している。【選択図】  図２
2011157722.tif 000002
【特許請求の範囲】
【請求項１】
金属材で少なくとも２辺の下部が外方へ広がるように突出する突出部を有する四角浅皿形状の目地プレート本体と、この目地プレート本体の上部外周部に前記突出部の外側端部より外側端部が外方へ突出しないように固定された金属材製の鉢巻きプレートと、前記目地プレート本体の後部両側部に底面が開口するように設けられた支持ピン挿入筒と、前記目地プレート本体内に充填されたモルタルあるいはコンクリートとからなることを特徴とする目地プレート。
【請求項２】
目地プレート本体は各辺の下部に外方へ鋭角状に広がるように突出する突出部が形成されるとともに、内底面には複数本の補強バーが固定されていることを特徴とする請求項１記載の目地プレート。
【請求項３】
鉢巻きプレートは目地プレート本体の上端部よりも上部が上方に位置するように複数本の皿ビスあるいは溶接等によって固定されていることを特徴とする請求項１記載の目地プレート。
【発明の詳細な説明】
【技術分野】
【０００１】
本発明は目地部を介して設けられた左右の床躯体間の目地部を車両の走行が可能に覆う目地プレートに関する。
【背景技術】
【０００２】
従来、目地プレートは金属材で四角浅皿形状の目地プレート本体と、この目地プレート本体の後端両側部に底面が開口するように設けられた支持ピン挿入筒と、前記目地プレート本体内に充填されたモルタルあるいはコンクリートとで構成されていた。
このように構成された目地プレートは目地プレート本体と、この目地プレート本体内に充填されたモルタルあるいはコンクリートとの剥離が生じ、見苦しくなったり、騒音の原因になったりするとともに、十分な強度を得るため、目地プレート本体を形成している金属材全体の肉厚を厚いものを使用しなければならず、コスト高になるという欠点があった。
【先行技術文献】
【特許文献】
【０００３】
【特許文献１】特開２００５−２４０３７４
【発明の概要】
【発明が解決しようとする課題】
【０００４】
本発明は以上のような従来の欠点に鑑み、目地プレート本体と、該目地プレート本体内に充填されたモルタルあるいはコンクリートとの剥離を効率よく阻止して、騒音の発生を阻止し、美観が損なわれるのを防止でき、かつ目地プレート本体を比較的に薄い金属材を用いても、上部に設けた鉢巻きプレートで十分な強度が得られる薄肉で安価な金属材を使用でき、低コストで製造することができる目地プレートを提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は金属材で少なくとも２辺の下部が外方へ広がるように突出する突出部を有する四角浅皿形状の目地プレート本体と、この目地プレート本体の上部外周部に前記突出部の外側端部より外側端部が外方へ突出しないように固定された金属材製の鉢巻きプレートと、前記目地プレート本体の後部両側部に底面が開口するように設けられた支持ピン挿入筒と、前記目地プレート本体内に充填されたモルタルあるいはコンクリートとで目地プレートを構成している。
【発明の効果】
【０００８】
以上の説明から明らかなように、本発明にあっては次に列挙する効果が得られる。
（１）請求項１によって、目地プレート本体の少なくとも２辺の下部が外方へ広がるように突出する突出部を形成しているので、目地プレート本体内に充填されたモルタルあるいはコンクリートは突出部内に入り込んで固定するため、モルタルあるいはコンクリートと目地プレート本体とが剥離するのを確実に防止することができる。
したがって、従来のように目地プレート本体とモルタルあるいはコンクリートとが剥離して見苦しくなったり、騒音が発生するのを効率よく阻止することができる。
（２）前記（１）によって、目地プレート本体の上部外周部を鉢巻きプレートで補強することができる。
したがって、薄肉の金属材を用いて目地プレート本体を形成しても、十分な強度が得られ、安価に製造することができる。
（３）請求項２は前記（１）、（２）と同様な効果が得られるとともに、目地プレート本体の各辺に形成された突出部や目地プレート本体の内底面に固定された複数本の補強バーで、より強固に目地プレート本体とモルタルあるいはコンクリートとの剥離を防止することができるとともに、目地プレート本体の補強を図ることができるとともに、目地プレート本体に鋭角状に外方へ広がるように突出する突出部にしているので、目地プレート本体の加工が容易にでき、加工コストが高くなるのを防止することが出来る。
（４）請求項３は前記（１）、（２）と同様な効果が得られるとともに、目地プレート本体の上端部に鉢巻きプレートの上端部が位置しているため、目地プレート本体の強度が十分に得られる。
【図面の簡単な説明】
【０００９】
【図１】本発明を実施するための第１の形態の使用状態の平面図。
【図２】図１の２−２線に沿う断面図。
【図３】本発明を実施するための第１の形態の目地部が狭くなった動作説明図。
【図４】本発明を実施するための第１の形態の平面図。
【図５】本発明を実施するための第１の形態の正面図。
【図６】本発明を実施するための第１の形態の側面図。
【図７】図４の７−７線に沿う断面図。
【図８】図４の８−８線に沿う断面図。
【図９】本発明を実施するための第２の形態の使用状態の平面図。
【図１０】図９の１０−１０線に沿う断面図。
【図１１】図９の１１−１１線に沿う断面図。
【図１２】本発明を実施するための第２の形態の説明図。
【図１３】本発明を実施するための第３の形態の使用状態の平面図。
【図１４】図１３の１４−１４線に沿う断面図。
【図１５】本発明を実施するための第３の形態の説明図。
【発明を実施するための形態】
【００１０】
以下、図面に示す本発明を実施するための形態により、本発明を詳細に説明する。
【００１１】
図１ないし図８に示す本発明を実施するための第１の形態において、１は目地部２を介して設けられた車両等の走行が可能な左右の床躯体３、３間の目地部２を覆う本発明の床用目地装置で、この床用目地装置１は前記左右の床躯体３、３の目地部側の一方の床躯体３に形成された目地プレート支持凹部４と、前記左右の床躯体３、３の目地部側の他方の床躯体３に反目地部側が傾斜面５に形成された目地プレートスライド凹部６と、前記目地プレート支持凹部４に後端部が支持され、先端部が前記目地プレートスライド凹部６にスライド移動可能に支持された本発明の目地プレート７と、この目地プレート７の後端両側部を、目地部２が狭くなるように揺れ動いた場合に、該目地プレート７の先端部が上方へ回動可能に支持する、前記目地プレート支持凹部４に固定された支持ピン８、８とで構成されている。
【００１２】
前記目地プレート７は図４ないし図８に示すように金属材で少なくとも２辺、本発明の実施の形態では加工が容易にできるように、前部と後部の下部に鋭角状に外方へ広がるように突出する突出部９、９を有する四角浅皿形状の目地プレート本体１０と、この目地プレート本体１０の上部外周部に前記突出部９、９の外側端部より外側端部が外方に突出することなく、上部が上方に位置するように複数本の皿ビス１１によって固定された金属材製の鉢巻きプレート１２と、前記目地プレート本体１０の後部両側部に底面開口１３、１３するように溶接等で固定された上部が閉塞板１４、１４で閉塞された支持ピン挿入筒１５、１５と、前記目地プレート本体１０内に所定間隔で前後方向に固定された、該目地プレート本体１０の高さ寸法の半分以下の寸法の複数本の補強バー１６、１６、１６、１６と、前記目地プレート本体１０内に充填されたモルタルあるいはコンクリート１７と、前記鉢巻きプレート１２の先端部の上部にヒンジ部材１８を介して、先端部が上下方向に回動可能に取付けられたカバープレート１９とで構成されている。
【００１３】
上記構成の目地プレート７は、目地プレート本体１０内に充填されたモルタルあるいはコンクリート１７は突出部１９、１９内に入り込んで固定されるため、目地プレート本体１０内で固定されたモルタルあるいはコンクリート１７の塊は突出部９、９内へ入り込んだ突出状態となり、剥離できない形状となっている。
【００１４】
また、鉢巻きプレート１２や複数本の補強バー１６、１６、１６、１６によって十分な強度が得られるので、目地プレート本体１０を薄い金属材を用いてもよい。
【００１５】
さらに、目地プレート本体１０の先端部の下部に突出部９が形成されているので、目地部２が狭くなるように地震で揺れ動いた場合、目地プレートスライド凹部６の傾斜面５をスムーズに移動させることができる。
【００１６】
[発明を実施するための異なる形態]
次に、図９ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図９ないし図１２に示す本発明を実施するための第２の形態において、前記本発明を実施するための第１の形態と主に異なる点は、４辺の下部に鋭角状に外方へ広がるように突出する突出部９、９、９、９を有する目地プレート本体１０Ａを用いて目地プレート７Ａを構成した点で、このように構成された目地プレート７Ａを用いても、前記本発明を実施するための第１の形態と同様な作用効果が得られる床用目地装置１Ａにできるとともに、目地プレート本体１０Ａとモルタルあるいはコンクリート１７との剥離をより効率よく阻止することができる。
【００１８】
図１３ないし図１５に示す本発明を実施するための第３の形態において、前記本発明を実施するための第１の形態と主に異なる点は、目地プレート本体１０の上端部と鉢巻きプレート１２とを溶接２０により固定するとともに、モルタルあるいはコンクリート１７の上部にレンガやタイル等の床化粧板２１を敷設した点で、このように構成された目地プレート７Ｂにしても、前記本発明を実施するための第１の形態と同様な作用効果が得られる。
【００１９】
なお、前記本発明を実施するための各形態では目地プレート本体の２辺あるいは４辺の下部を鋭角状に外方へ広がるように突出する突出部を形成したものについて説明したが、本発明はこれに限らず目地プレート本体の２辺あるいは４辺の下部が該目地プレート本体の上部の内径よりも大きくなるような突出部であれば、目地プレート本体の内部に充填したモルタルあるいはコンクリートは突出部内へ入り込んだ突出状態の固定状態となるため、目地プレート本体とモルタルあるいはコンクリートは剥離できない状態となるため、どんな形状であってもよい。
【産業上の利用可能性】
【００２０】
本発明は目地部を介して設けられた左右の床躯体間の目地部を車両の走行が可能に覆う床用目地装置の目地プレートを製造する産業で利用される。
【符号の説明】
【００２１】
１、１Ａ、１Ｂ：床用目地装置、２：目地部、
３：床躯体、        ４：目地プレート支持凹部、
５：傾斜面、        ６：目地プレートスライド凹部、
７、７Ａ、７Ｂ：目地プレート、８：支持ピン、
９：突出部、        １０、１０Ａ：目地プレート本体、
１１：皿ビス、      １２：鉢巻きプレート、
１３：開口、        １４：閉塞板、
１５：支持ピン挿入筒、    １６：補強バー、
１７：モルタルあるいはコンクリート、
１８：ヒンジ部材、      １９：カバープレート、
２０：溶接、        ２１：床化粧板。
【図１】
2011157722.tif 000003
【図２】
2011157722.tif 000004
【図３】
2011157722.tif 000005
【図４】
2011157722.tif 000006
【図５】
2011157722.tif 000007
【図６】
2011157722.tif 000008
【図７】
2011157722.tif 000009
【図８】
2011157722.tif 000010
【図９】
2011157722.tif 000011
【図１０】
2011157722.tif 000012
【図１１】
2011157722.tif 000013
【図１２】
2011157722.tif 000014
【図１３】
2011157722.tif 000015
【図１４】
2011157722.tif 000016
【図１５】
2011157722.tif 000017